(57)【要約】      （修正有）【課題】回転式ドライガンフレームを提供する。【解決手段】ガン台９０を置く水平管９４は角度回転が可能で、乾燥作業区域を改変できる回転式ドライガンフレームで、主にスタンド５０を含む。該スタンド５０は立管６１を可動設置し、ボルト６３は立管６１と延伸立管６２とを直列接続し、長さ延伸の目的を達成する。該立管６１と該延伸立管６２は進気台７０及び回転台を容置し、該回転台は回転スライド台８２及び垂直スライドキャップ８０を含み、該回転スライド台８２は該垂直スライドキャップ８０に可動設置される。これにより回転スライド台８２の角度を適時調整可能で、同期回転し、回転台上の水平管及びその上に可動設置するガン台とドライガンを可動設置し、てこネジにより螺固する。こうしてドライガンの乾燥作業区範囲を変えることができる。【選択図】図１
0003142181.tif 000002
【実用新案登録請求の範囲】
【請求項１】
スタンド、立管、進気台、回転台、ガン台、螺旋管を含む回転式ドライガンフレームであって、
該スタンドには中央穿孔を設置し、これにより該立管を可動設置でき、手回しネジにより螺固し、
該立管は該スタンドの中央穿孔に可動設置され、
該進気台の一端には垂直スライドキャップを設置し、該垂直スライドキャップには内ネジ孔を設置し、手回しネジにより該進気台の位置に螺合され、該進気台の本体両端には内ネジ孔を設置し、ネジにより螺入封鎖し、該進気台前端の進気孔には快速ジョイントを螺入し、該快速ジョイントは圧縮空気を供給する進気管を迅速に嵌接し、該進気台上方には２個の連接ネジ孔を延伸し、該連接ネジ孔に該快速ジョイントを螺設し、
該回転台は垂直スライドキャップを含み、該垂直スライドキャップの一端には内ネジ孔を設置し、手回しネジを螺入し、
該ガン台は水平スライドキャップを含み、水平管に可動設置し、該ガン台の垂直方向上には本体を設置し、該本体の頂端に設置される内ネジ孔は連結器を螺固し、該連結器は該ドライガンに挿入して接続し、該水平スライド台の片側には内ネジ孔を設置し、該内ネジ孔は該水平スライドキャップ内に貫通し、該内ネジ孔には手回しネジを螺入し、これにより該ガン台を該水平管上に固定し、該本体の片側には連接台を延伸し、該連接台の端面には内ネジ孔を設置し、該内ネジ孔には快速ジョイントを螺入し、該連接台の内ネジ孔は該本体の内ネジ孔に貫通し、こうして圧縮空気はドライガン内に流入可能となり、
該螺旋管の一端は該進気台の快速ジョイント内に挿入して設置され、該進気管の圧縮空気を受け取り、該螺旋管の反対端は該ガン台の快速ジョイント内に挿入して設置され、ドライガンに圧縮空気を提供することを特徴とする回転式ドライガンフレーム。
【請求項２】
前記立管一端の内孔には内ネジ孔を設置することを特徴とする請求項１記載の回転式ドライガンフレーム。
【請求項３】
前記回転式ドライガンフレームはさらに延伸立管を含み、該延伸立管の内孔には内ネジ孔を設置することを特徴とする請求項１記載の回転式ドライガンフレーム。
【請求項４】
前記回転式ドライガンフレームはさらにボルトを含み、その両端はそれぞれ立管及び延伸立管の内ネジ孔に螺入して連接し、該立管の長さを延長することを特徴とする請求項１記載の回転式ドライガンフレーム。
【請求項５】
前記立管は一個以上の延伸立管と直列接続することを特徴とする請求項１記載の回転式ドライガンフレーム。
【請求項６】
前記延伸立管の一端には縮小直径の外ネジヤマを設置し、該外ネジヤマは該立管の内ネジヤマに直接螺入して直列接続可能であることを特徴とする請求項５記載の回転式ドライガンフレーム。
【請求項７】
前記回転台はさらに回転スライド台を含み、該回転スライド台には回転スライドキャップを設置し、該回転スライドキャップは階級軸棒前端の前軸棒上に嵌設され、てこネジは該前軸棒前端の内ネジ孔に螺設され、該回転スライド台を螺固することを特徴とする請求項１記載の回転式ドライガンフレーム。
【請求項８】
前記回転スライド台の垂直スライドキャップの反対端には階級軸棒が延伸され、該階級軸棒前端の前軸棒端面には内ネジ孔を設置することを特徴とする請求項７記載の回転式ドライガンフレーム。
【請求項９】
前記回転スライドキャップ片側の延伸体には内ネジ孔を設置し、手回しネジを螺入し、該前軸棒を固定することができ、これにより該回転台は固定されることを特徴とする請求項７記載の回転式ドライガンフレーム。
【請求項１０】
前記回転台の回転スライド台はさらに水平スライドキャップを含み、該水平管を穿設して容置するのに供し、該水平スライドキャップの片側には貫通した内ネジ孔を設置し、手回しネジを螺入し、該水平管を固定可能であることを特徴とする請求項７記載の回転式ドライガンフレーム。
【考案の詳細な説明】
【技術分野】
【０００１】
本考案は、回転式ドライガンフレームに係り、特にガンフレーム角度を回転可能で、異なる各種形状の焼付け塗装乾燥作業に適用することができ、圧縮空気を進入させる進気台を底部に常設され、重心が低いため、管路が通行を阻害しない効果を備える回転式ドライガンフレームに関する。
【背景技術】
【０００２】
公知の伸縮式ドライガンフレーム１は、図１０乃至図１３に示すように、主にスタンド１０中央に垂直に上方へと延伸する立管１１を設置する。該立管１１上にはスライド管１２を嵌設し、該スライド管１２は上下スライド動及び転動が可能で（図１１、図１３、図１４参照）、手回しネジ１２１により任意の位置或いは方向に螺固定位し、これにより該ドライガンフレーム１の高度及び方向を調整可能となる。
【０００３】
該スライド管１２上には進気台２０及び垂直スライド台３０を嵌設し、該進気台２０は、圧縮空気管路２１を嵌接し、圧縮空気を該進気台２０上方の両螺旋気管２２に供給する。該螺旋気管２２の反対側は水平管３１両側のガン台３２に螺設し、圧縮空気をガン台３２上のドライガン４０に供給し、該ドライガン４０は後方の空気をサイホンし急速に前方へと流動させ、焼付け塗装物件に対して乾燥作業を行う。
【０００４】
図１２に示すように、該ドライガン４０の空気拡散の範囲はドライガン４０の乾燥作業区４００で、２組が水平で並列設置されるドライガン４０は水平方向の乾燥を形成し、該水平管３１上、下の移動により乾燥作業区４００の位置を改変する。
【０００５】
これにより該垂直スライド台３０両側に嵌設するドライガン４０は上、下、左、右スライド動及び前後調整角度により（図１１参照）、異なる形状、大きさの焼付け塗装物件に対応可能となる。しかしその構造設計の欠陥により、使用時にはやはり欠点が存在する。
【０００６】
１．水平管３１或いはガン台３２は水平スライド動しかできず、或いは該水平管３１の軸線を巡る回転しかできず、これによってしかドライガンの傾斜角度を変えることができない（図１４参照）。つまり、両側のドライガン４０はどのように移動しようとも、同一の水平位置を保つため、乾燥の範囲は水平方向に限定される。これが該水平管３１が該垂直スライド台３０のＺ軸３０１を巡り回転できない原因で、よって上下に長い焼付け塗装物件には適用し難い。
【０００７】
２．進気台２０はスライド管１２上に設置し、スライド管１２と同期に昇降し、該進気台２０の昇降時には圧縮空気管路２１もまた同期昇降するが、該圧縮空気管路２１が直管状で、しかも材質が比較的硬い圧縮空気管に属することに注意を要する。位置が上がると、半正弦波曲線に類似の形状を呈し、図１４に示すように、該圧縮空気管路２１は通行を阻害する障害物になってしまう。この他、該圧縮空気管路２１はさらにドライガンフレーム重心不安定の原因の一つとなっている。該圧縮空気管路２１は後方へと、つまり下方へと引く力量を生じ、圧縮空気管路２１が高くなればなるほど、重心も不安定となる。
【考案の開示】
【考案が解決しようとする課題】
【０００８】
公知ドライガンフレームの水平管或いはガン台は水平スライド動、上下移動しかできず、或いは水平管の軸線を巡る回転しかできないため、水平管の角度を改変することができない。これではドライガン位置改変の多様な運用が利かず、使用者はドライガン位置を調整する時非常に不便である。この他、進気台はスライド管上に設置し、スライド管に従い上下移動するため、該圧縮空気管路も同期昇降し、該圧縮空気管路は通行を阻害する障害物になってしまうという欠点があった。さらに、該圧縮空気管路はドライガンフレームの重心不安定を招くという問題点等もあった。
【０００９】
そこで、本考案は、上記構造の問題点を解決したドライガンフレームを提供することを課題とする。
【課題を解決するための手段】
【００１０】
上記課題を解決するためには、本考案は下記の回転式ドライガンフレームを提供する。即ち、本考案回転式ドライガンフレームはスタンドを含み、該スタンドの中央穿孔には立管を可動設置し、ボルトは立管と延伸立管を直列接続し、該立管と該延伸立管は該進気台及び該回転台を容置し、該回転台は回転スライド台及び垂直スライドキャップを含み、該回転スライド台は該垂直スライドキャップに可動設置し、てこネジにより螺固し、該回転台は水平管を可動設置し、該水平管上にはガン台を可動設置し、該ガン台は螺旋管により該進気台を直列接続し、圧縮空気はガン台上のドライガンに供給される一方、本考案の回転台は３６０度回転が可能で、水平管及びその上に固設するドライガンを連動し適当な角度の回転を行わせ、こうしてドライガンの乾燥作業区範囲を改変可能で、異なる物件の乾燥にフレキシブルに対応可能で、しかも乾燥位置の調整を非常に迅速かつ便利に行うことができ、該立管及び該延伸立管はネジヤマ螺固の方式により直列接続され、長さ延伸の目的を達成し、ドライガン高度の調整において進気台は同期移動を必要としないため、圧縮空気を送付する進気管は比較的低い位置に常設可能で、進気管は作業を阻害せず、或いは重心不安定の現象を引き起こすこともない。
【考案の効果】
【００１１】
上記したように、本考案に係る回転台の設計は水平管及びドライガンに適当な角度の回転を提供可能で、これにより乾燥作業区の位置及び角度を変えることができ、公知のドライガンフレームの水平或いは上下移動だけが可能で回転不能という欠点を改善することができる。即ち、本考案によりドライガンの乾燥作業区は拡大し、大型或いは小型の各種物件、或いは長さと幅の比率が特殊な物件であっても、ドライガンの位置を適当に調整可能で、乾燥作業の進行に有利である。この他、立管と延伸立管の直列接続により長さを拡大する設計は、進気台と回転台を独立させるため、進気管は常に比較的低い位置に在って、管路は阻害を形成せず、重心不安定を招かない等の進歩的な長所を備える。
【考案を実施するための最良の形態】
【００１２】
先ず図１、２に示すように、本考案最適実施例の回転式ドライガンフレームは主に、スタンド５０、立管６１、延伸立管６２、ボルト６３、進気台７０、回転台８０を含む。
【００１３】
該スタンド５０には中央穿孔５１を設置し、該立管６１を可動設置し、手回しネジ５２により螺固する。該スタンド５０の周縁面上には数個の支管５３を環状に設置し、該支管５３は下方へと適当な角度の偏りを呈する。該支管５３末端には縮小径５３１を設置し、延伸管５４により挿入設置され、該手回しネジ５５により螺固される。
【００１４】
該立管６１は該スタンドの中央穿孔５１に可動設置し、該立管６１の一端内孔には内ネジ孔６１１を設置する。該延伸立管６２の一端内孔には内ネジ孔６２１を設置する。該ボルト６３は主に該立管６１が長さを延伸する時の連結対応部品で、その両端にはそれぞれ該立管６１を螺入し、及び該延伸立管６２の内ネジ孔６１１、６２１内に連接する。
【００１５】
該進気台７０の一端には垂直スライドキャップ７１を設置し、その垂直方向のスライド孔７１１は該立管６１及び該延伸立管６２内に嵌設しスライド動及び転動する。該垂直スライドキャップ７１には内ネジ孔７１２を設置し、手回しネジ７２により該進気台７０の位置に螺合される。該進気台７０の本体両端には内ネジ孔７３１を設置し、ネジ７４により螺入封鎖する。該進気台７０前端には進気孔７５１を設置し、該進気孔７５１には快速ジョイント７５２を螺入する。該快速ジョイント７５２は圧縮空気を供給する進気管７６を迅速に嵌接し、圧縮空気を該進気台７０内に進入させ、該進気台７０上方には２個の連接ネジ孔７７を延伸し、該連接ネジ孔７７に該快速ジョイント７８は螺設する。
【００１６】
該回転台８０は垂直スライドキャップ８１、回転スライド台８２、てこネジ８３を含み、該立管６１或いは該延伸立管６２内に設置し、スライド動及び転動を行う。該垂直スライドキャップ８１の一端には内ネジ孔８１１を設置し、手回しネジ８１５を螺入する。これにより該垂直スライドキャップ８１を固定し、該垂直スライドキャップ８１の反対端は階級軸棒８１２を延伸し、該階級軸棒８１２の前軸棒８１３の前端には内ネジ孔８１４を設置する。
【００１７】
該回転スライド台８２は回転スライドキャップ８２１及び水平スライドキャップ８２４を含み、該回転スライドキャップ８２１の中心軸は該階級軸棒８１２の中心軸と同一軸方向で、該回転スライドキャップ８２１は該階級軸棒８１２前端の前軸棒８１３上に嵌設する。
【００１８】
該てこネジ８３は該前軸棒８１３前端の内ネジ孔８１４に螺設し、該回転スライド台８２を螺固する。該回転スライドキャップ８２１片側の延伸体には内ネジ孔８２２を設置し、手回しネジ８２３により該前軸棒８１３を螺入固定することができ、こうして該回転台８０は固定される。該水平スライドキャップ８２４の中心軸は該階級軸棒８１２の中心軸と相互に９０度を呈し、該水平スライドキャップ８２４は水平管９４を穿越容置し、該水平スライドキャップ８２４の片側には貫通した内ネジ孔８２５を設置し、手回しネジ８２６を螺入し、該水平管９４を固定することができる。
【００１９】
該ガン台９０は水平スライドキャップ９１を含み、該水平管９４上に嵌設する。該ガン台９０の垂直方向上には本体９２を設置し、該本体９２の頂端に設置する内ネジ孔９２１は連結器９５により螺固する。該連結器９５はドライガン９７を挿入接続し、該水平スライド台９１の片側には内ネジ孔９１１を設置する。該内ネジ孔９１１は該水平スライドキャップ９１内を貫通し、該内ネジ孔９１１には手回しネジ９３が螺入する。これにより、該固定ガン台９０は該水平管９４上において、該本体９２の片側には連接台９２２を延伸し、該連接台９２２の端面には内ネジ孔９２３を設置する。該内ネジ孔９２３は快速ジョイント９２４を螺入し、該連接台９２２の内ネジ孔９２３は該本体９２の内ネジ孔９２１と貫通し、こうして圧縮空気はドライガン９７内に流入することができる。
【００２０】
螺旋管９６の一端は該進気台７０の快速ジョイント７８内に挿入設置され、該進気管７６の圧縮空気を受け取り、該螺旋管９６の反対端は該ガン台９０の快速ジョイント９２４内に挿入設置され、ドライガン９７に圧縮空気を提供する。
【００２１】
以上は本考案回転式ドライガンフレームの各部品及びその関連位置の説明である。本考案はガンフレーム角度を回転させ、乾燥作業の範囲を改変することができる。それについて以下に説明する。
【００２２】
図２と図３に示すように、該進気管７６の一端はエアーコンプレッサーに連接し、これは圧縮空気の出所で、圧縮空気は進気台７０内に注入され、該螺旋管９６によりそれぞれ該各ガン台９０内に輸送される。該ドライガン９７のバルブの開放により、ドライガンはサイホン空気を発生し、空気を吸入し、圧縮空気と混合し乾燥の作業を行うことができる。
【００２３】
図４と図５に示すように、本考案の主要な機能は水平管９４が回転の機能を備えることである。該水平管９４は該回転スライド台８２に付着し回転し、該回転スライド台８２は該前軸棒８１３上で自由に転動可能である。よって該水平管９４及び該水平管９４上のガン台９０及びドライガン９７の同期転動を連動し、ドライガン９７の角度を改変し、同時に該ドライガン９７の乾燥作業区９７０を改変することができる。図９に示すように、該乾燥作業区は該ドライガン９７の転動に従い位置を変え、二組（或いは二組以上）のドライガン９７の組合せにより、水平管９４全体が回転可能な範囲内には乾燥作業の範囲がすべて入り、乾燥作業の面積を拡大することができる。
【００２４】
図５に示すように、該回転スライドキャップ８２１の長さＬ１は該前軸棒８１３の長さＬ２よりわずかに長い。よって、該てこネジ８３の端面は該回転スライドキャップ８２１の端面により緊密に固定され、該回転スライドキャップ８２１回転の自由度を制限する。該水平管９４において任意の角度を回転を行った後、該回転スライド台８２固定の目的、図４に示す該水平管９４及びその上に固設する関連部品の偏りを達成する。
【００２５】
図５に示すように、該回転スライドキャップ片側延伸体が設置する内ネジ孔８２２は手回しネジ８２３により螺入し該前軸棒８１３を固定することができ、こうして該回転台８０を固定することができる。該てこネジ８３を対応させ該回転スライドキャップ８２１の端面を緊密に押さえ、双重螺固の効果を達成する。こうして該回転台８０は該ドライガン９７の重量が原因でスライド動し或いは転動する現象は発生しない。
【００２６】
図１と図２に示すように、本考案立管６１の一端には内ネジ孔６１１を設置し、ボルト６３は二分の一の長さで内ネジ孔６１１に螺入し、露出する残りの二分の一の長さは、別の延伸立管６２の一端を螺入し組合せ、立管６１の合計の長さを延長することができる。こうして該回転台８０及びその関連部品は上昇の高度を増加することができるため、大型で背丈の高い物件の乾燥作業に有利である。さらには両端共に内ネジ孔６２１を設置する延伸立管６２を使用し、２個の延伸立管６２（さらには、２個以上の延伸立管６２）を直列接続し、長さを拡大することができる。
【００２７】
本考案はボルト６３を使用し、該立管６１と該延伸立管６２を直列接続することで、高さを増すことができる他、該進気台７０と該水平管９４を容置する回転台８０を独立させることができる（図１３と図１４に示すように、公知構造では、進気台２０と垂直スライド台３０は一緒にスライド管１２上に嵌設され、スライド管１２に従い同期上下移動を行うため、圧縮空気管路２１もまたこれに従い上下移動し、圧縮空気管路２１が管路の重力により引力を生じ、重心が不安定になり、通行を阻害し、さらには人をつまずかせる恐れもある）。本考案は、該進気台７０と該回転台８０を独立させる設計により、該水平管９４の昇降が独立操作となり、該進気台７０は該立管６１底部の適当な位置に固定される。このように該進気管７６の位置は低く、しかも地面に近いため、重心が低く、しかも阻害を生じない。
【００２８】
図８に示すように、該立管６１と該延伸立管６２の延伸はボルト６３を利用し連接が達成される他に、該延伸立管６２の一端に縮小直径の外ネジヤマ６２２を設置し、該外ネジヤマ６２２は該立管６１の内ネジヤマ６１１に直接螺入し直列接続し、同様に長さ延長の目的を達成することができる。
【００２９】
図６に示すように、該回転台８０は該立管６１或いは該延伸立管６２の長さ範囲内において下向きに（或いは上向きに）移動し、同時に該水平管９４及びその上に固設する関連部品を同期に下向きに（或いは上向きに）移動させる。もしドライガン９７等部品がその位置を変えるなら、該回転台８０もまた上向きに（或いは下向きに）移動し、もとの位置に戻り、或いは該立管６１を巡り適当な角度の回転を行い、異なる製品或いは大型製品の比較的低い位置の乾燥作業に対応する。
【００３０】
図７に示すように、本考案の回転台８０は回転及び昇降の機能を備える他に、該ガン台９０はまた回転の機能をも備える。図３に示すように、該ガン台９０は該水平管９４上において任意の角度の回転が可能で、手回しネジ９３により固定する。該ドライガン９７はまた連結器９５上において３６０度任意の角度の回転が可能で（図７参照）、乾燥作業区の角度を変えることができる。
【００３１】
上記したように、本考案回転台の設計は水平管及びドライガンに適当な角度の回転を提供可能で、これにより乾燥作業区の位置及び角度を変えることができ、公知のドライガンフレームの水平或いは上下移動だけが可能で回転不能という欠点を改善することができる。すなわち本考案によりドライガンの乾燥作業区は拡大し、大型或いは小型の各種物件、或いは長さと幅の比率が特殊な物件であっても、ドライガンの位置を適当に調整可能で、乾燥作業の進行に有利である。この他、立管と延伸立管の直列接続により長さを拡大する設計は、進気台と回転台を独立させるため、進気管は常に比較的低い位置に在って、管路は阻害を形成せず、重心不安定を招かない等の進歩な長所を備える。
【００３２】
本考案は同類製品中で進歩性及び実用性を既に備え、実際の製造とテストにより、本考案が産業上の利用性を備えることは実証されている。しかも本考案の出願前には、相同物品は刊行物に掲載、或いは公開使用されておらず、よって本考案は新規性、進歩性及び産業上の利用性という実用新案の登録要件を備える。以上は本考案の最適実施例に過ぎず、本考案の登録請求範囲を制限するものではない。よって、本考案の明細書及び図示内容を運用し行う同等効果の構造変化もすべて、同一原理として本考案の登録請求範囲内に属するものとする。
【図面の簡単な説明】
【００３３】
【図１】本考案の立体分解図である。
【図２】本考案の組合せ立体図である。
【図３】本考案の組合せ平面図である。
【図４】本考案の回転台回転偏りの立体指示図である。
【図５】本考案の回転台の組合せ断面図である。
【図６】本考案の回転台が下向き又は上向きに移動する場合の説明図である。
【図７】本考案が備える多方向回転、移動の矢印の表示図である。
【図８】本考案に係る伸管が直列接続する場合の説明図である。
【図９】本考案の乾燥フレーム上のドライガン回転の乾燥作業範囲説明図である。
【図１０】公知の乾燥フレームの立体分解図である。
【図１１】公知の乾燥フレームの組合せ立体図である。
【図１２】公知の乾燥フレーム上ドライガンの乾燥作業範囲説明図である。
【図１３】公知の乾燥フレームの平面組合せ図である。
【図１４】公知の乾燥フレームが進気台と空気圧縮管路上で移動する場合の説明図である。
【符号の説明】
【００３４】
1     ドライガン
10    スタンド
11    立管
12    スライド管
121   手回しネジ
20    進気台
21    圧縮空気管路
22    螺旋気管
30    垂直スライド台
301   Z軸
31    水平管
32    ガン台
40    ドライガン
400   乾燥作業区
50    スタンド
51    中央穿孔
52    手回しネジ
53    支管
531   縮小径
54    延伸管
55    手回しネジ
61    立管
611   内ネジ孔
62    延伸立管
621   内ネジ孔
63    ボルト
70    進気台
71    垂直スライドキャップ
711   スライド孔
712   内ネジ孔
72    手回しネジ
731   内ネジ孔
74    ネジ
751   進気孔
752   快速ジョイント
76    進気管
77    連接ネジ孔
78    快速ジョイント
79    回転台
80    垂直スライドキャップ
811   内ネジ孔
812   階級軸棒
813   前軸
814   内ネジ孔
815   手回しネジ
821   回転スライドキャップ
822   内ネジ孔
823   手回しネジ
824   水平スライドキャップ
825   内ネジ孔
826   手回しネジ
83    てこネジ
90    ガン台
91    水平スライドキャップ
911   内ネジ孔
921   内ネジ孔
92    本体
922   連接台
923   内ネジ孔
924   快速ジョイント
93    手回しネジ
94    水平管
95    連結器
96    螺旋管
97    ドライガン
970  乾燥作業区
【図１】
0003142181.tif 000003
【図２】
0003142181.tif 000004
【図３】
0003142181.tif 000005
【図４】
0003142181.tif 000006
【図５】
0003142181.tif 000007
【図６】
0003142181.tif 000008
【図７】
0003142181.tif 000009
【図８】
0003142181.tif 000010
【図９】
0003142181.tif 000011
【図１０】
0003142181.tif 000012
【図１１】
0003142181.tif 000013
【図１２】
0003142181.tif 000014
【図１３】
0003142181.tif 000015
【図１４】
0003142181.tif 000016